(57)【特許請求の範囲】
【請求項１】
継手本体に対してリリースを回転させることで、相互の位相の位置関係によってリリースの可動範囲を制御するように離間した凹部と凸部を、継手本体とリリースのいずれか一方及び他方に設け、前記離間した凹部と凸部とが深く嵌合するように接近可能な相対位置においてのみ、リリースが押し込み可能なロック解除状態に移行し、ロック解除状態で前記リリースを押し込むことにより、ロックリングが変位して配管の抜き出しが可能となる位置まで凸部が凹部内に深く嵌合するように接近すると共に、前記凹部が設けられた前記継手本体または前記リリースにおいて、前記凸部に向かい合う側の面に仮固定用の浅い窪み部が凹部と異なる位相位置に形成され、前記浅い窪み部と凸部が浅く嵌合することで、リリースを押し込むことができずかつ回転ずれしないロック状態となることを特徴とする管継手。
【請求項２】
配管を把持するロックリングと前記ロックリングを変位させるリリースとを継手本体に有し、前記リリースを押し込むとロックリングの内径を拡径させ配管の抜き出しが可能な状態となると共に、リリースに凹部が、継手本体に凸部が設けられ、前記継手本体とリリースの夫々に形成された凹部と凸部との位相の位置関係によりリリースの可動範囲を制御し、前記凹部と凸部とが深く嵌合するように接近可能な相対位置においてのみ、リリースが押し込み可能なロック解除状態に移行し、ロック解除状態で前記リリースを押し込むことにより、ロックリングが変位して配管の抜き出しが可能となる位置まで凸部が凹部内に深く嵌合するように接近操作され、リリースを押し込んで配管を抜き出しできるようにしており、ロック解除状態以外の状態では配管が抜き出し不能のまま継手本体に固定され、かつ継手本体内であってロックリングの先側にカラーが設けられ、リリースの押し込み部は、前記カラーに引っかかり、外れない構造になっており、前記リリースにおいて、前記凸部に向かい合う側の面に仮固定用の浅い窪み部が凹部と異なる位相位置に形成され、前記浅い窪み部と凸部が浅く嵌合することで、リリースを押し込むことができずかつ回転ずれしないロック状態となることを特徴とする管継手。
【発明の詳細な説明】
【０００１】
【発明の属する技術分野】
この発明は、人為的なミスによる配管の不用意な抜け出しを防止することができる一般の空圧用途その他に利用可能な管継手に関するものである。
【０００２】
【従来の技術】
従来より、色々な分野で気体や液体等の流体用のワンタッチ式の管継手が使用されている。
【０００３】
図９に示すように、この管継手は配管21をロックリング22で把持する構造であり、前記配管21を外したいときは、管挿入口側のリリース23を奥側に向けて押し込むと前記ロックリング22が押し広げられその内径が配管21の外径以上に拡径して配管21の抜き出しが可能な状態となる。
【０００４】
ところで、管継手の使用中に誤って不用意な操作でリリース23を押し込んでしまうと流体の内圧で管継手から配管21が抜け出し、その結果前記流体が勢いよく吹き出してしまうといったトラブルがあった。このため、管継手のリリース23の変位防止用の板状のスペーサ24（例えば断面略Ｃ字状）を継手本体とリリース23の間に差し込んでおくように工夫すると、リリース23を配管開放方向へ押すことができなくなり、仮に誤って押圧操作されても配管21が不用意に抜けることはない。
【０００５】
しかし、この管継手のスペーサ24は継手本体と別部品であるので装置のメンテナンスや分解掃除などの際に紛失し易いという問題があった。なお部品点数が多いと、コストアップにつながる。
【０００６】
【発明が解決しようとする課題】
そこでこの発明は、配管の不用意な抜け出しを防止するために部品の紛失がない管継手を提供しようとするものである。
【０００７】
【課題を解決するための手段】
前記課題を解決するためこの発明では次のような技術的手段を講じている。
【０００８】
この発明の管継手は、継手本体に対してリリースを回転させることで、相互の位相の位置関係によってリリースの可動範囲を制御するように離間した凹部と凸部を、継手本体とリリースのいずれか一方及び他方に設け、前記離間した凹部と凸部とが深く嵌合するように接近可能な相対位置においてのみ、リリースが押し込み可能なロック解除状態に移行し、ロック解除状態で前記リリースを押し込むことにより、ロックリングが変位して配管の抜き出しが可能となる位置まで凸部が凹部内に深く嵌合するように接近すると共に、凸部側の面に仮固定用の浅い窪み部が凹部と異なる位相位置に形成され、前記浅い窪み部と凸部が浅く嵌合することで、リリースを押し込むことができずかつ回転ずれしないロック状態となることを特徴とする。
また本発明の管継手は、配管を把持するロックリングと前記ロックリングを変位させるリリースとを継手本体に有し、前記リリースを押し込むとロックリングの内径を拡径させ配管の抜き出しが可能な状態となると共に、リリースに凹部が、継手本体に凸部が設けられ、前記継手本体とリリースの夫々に形成された凹部と凸部との位相の位置関係によりリリースの可動範囲を制御し、前記凹部と凸部とが深く嵌合するように接近可能な相対位置においてのみ、リリースが押し込み可能なロック解除状態に移行し、ロック解除状態で前記リリースを押し込むことにより、ロックリングが変位して配管の抜き出しが可能となる位置まで凸部が凹部内に深く嵌合するように接近操作され、リリースを押し込んで配管を抜き出しできるようにしており、ロック解除状態以外の状態では配管が抜き出し不能のまま継手本体に固定され、かつ継手本体内であってロックリングの先側にカラーが設けられ、リリースの押し込み部は、前記カラーに引っかかり、外れない構造になっていることを特徴とする。
【０００９】
この管継手は、相互の位置関係によってリリースの可動範囲を制御する凹部と凸部を有し、前記凹部と凸部とが嵌合する相対位置においてリリースが押し込み可能となり、前記リリースを押し込むことによりロックリングが変位して配管の抜き出しが可能になることから、継手本体とリリースの間に差し込む継手本体とは別部品の変位防止用のスペーサ等を必要としない。すなわち、凹部と凸部が嵌合する相対位置においてリリースを押し込んで配管を抜き出すことができるようにしている。
【００１０】
なお、継手本体側に凸部をリリース側に凹部を設けてもよいし、逆に継手本体側に凹部をリリース側に凸部を設けてもよい。
【００１１】
【発明の実施の形態】
以下、この発明の実施の形態を図面を参照して説明する。
（実施形態１）
図１乃至図４に示すように、この実施形態の管継手は、合成樹脂製の配管１（ホースやチューブ類）を把持する金属製の爪形状のロックリング２と、前記ロックリング２を変位させるための管挿入口側のリリース３（開放スリーブ）とを継手本体４に有する。前記ロックリング２は、合成樹脂製のカラー５により継手本体４内に位置決め固定している（主として図４参照）。
【００１２】
管継手から配管１を外す時は、前記リリース３を奥側に向けて押し込むとロックリング２が倒れ込んで押し広げられ、その内径を配管１の外径以上に拡径させ拡径させ配管１の抜き出しが可能な状態となるようにしている。
【００１３】
また、継手本体４とリリース３の夫々に凹部６と凸部７とを形成している。この実施形態では凸部７を継手本体４側に合成樹脂で一体的に突設し、凹部６をリリース３側に欠設している。継手本体４側の凸部７は対称の位置に一対を設けており、リリース３側のこれに対応する位置に凹部６を形成している。なお、凸部７の凹部６の組み合わせは一個でもいいし複数個でもよい。
【００１４】
そして、前記凹部６と凸部７との位置関係により配管挿脱方向のリリース３の可動範囲を制御し、前記凹部６と凸部７が嵌合するような相対位置へと操作するとリリース３を押し込んで配管１を抜き出すことができるようにしている。
【００１５】
具体的には、この管継手のリリース３は、ロック状態とロック解除状態とに回転操作できるようにしている。図１、図２に示すようなロック解除状態では、凹部６と凸部７が相互に嵌合して接近できるようにしている。従って、リリース３を押し込むことができ、配管１の抜き出しが可能である。図３、図４に示すようなロック状態では、凹部６と凸部７は嵌合できず接近できないようにしている。
従って、リリース３を押し込むことはできず、配管１の抜き出しは不能である。なお、このロック状態の位置から継手本体４とリリース３が不用意に回転ずれしないように、リリース３側に継手本体４の凸部７の仮固定用の浅い窪み部８（浅く嵌合する）を形成している。
【００１６】
次に、この実施形態の管継手の使用状態を説明する。
【００１７】
配管１を管継手から分離するときは、ロック状態の位置（図３、４参照）から継手本体４に対してリリース３を１／４回転（９０度）回転させる。するとロック解除状態（図１、２参照）に移行し、凸部７と凹部６の位置が合ってリリース３を押圧可能な状態となる。すなわち、凹部６と凸部７が嵌合するような相対位置へと操作するとリリース３を押し込んで配管１を抜き出すことができる。
【００１８】
この管継手は、継手本体４とリリース３の夫々に形成された凹部６と凸部７との位置関係によりリリース３の可動範囲を制御するようにしたので、継手本体４とリリース３の間に差し込む継手本体４とは別部品の変位防止用のスペーサ等は必要なく、配管１の不用意な抜け出しを防止するために部品の紛失がないという利点がある。
【００１９】
また、リリース３を回転して押し込むだけの操作で足りるので、配管１が混み入った狭い場所でも操作がし易いという利点がある。さらに、継手本体４とリリース３の合成樹脂の一体成型により対処することができるので、製造コストを安価にすることができるという利点もある。
【００２０】
なお、管継手を出荷する際にリリース３の位置をロック状態にセットしておくと、流体圧がかかった実際の使用時に、操作法を知らない人がたまたまリリース３を誤って押し込んで流体が噴き出すような事故の発生を抑制することができるという利点がある。
（実施形態２）
次に、実施形態２を実施形態１との相違点を中心に説明する。
【００２１】
図５乃至図８に示すように、実施形態１とは逆に、凹部６を継手本体４側に形成すると共に、凸部７をリリース３側に突設している。またロック状態の位置（図７、図８参照）から継手本体４とリリース３が不用意に回転ずれしないように、リリース３側に継手本体４の凸部７の仮固定用の浅い窪み部８（浅く嵌合する）を形成している。
【００２２】
そして、図５、図６に示すようなロック解除状態では、凹部６と凸部７が相互に嵌合して接近できるようにしている。従って、リリース３を押し込むことができ、配管１の抜き出しが可能である。図７、図８に示すようなロック状態では、凹部６と凸部７は嵌合できず接近できないようにしている。従って、リリース３を押し込むことはできず、配管１の抜き出しは不能である。
【００２３】
【発明の効果】
この発明は上述のような構成であり、次の効果を有する。
【００２４】
継手本体と別部品とした変位防止用のスペーサ等は必要ないので、配管の不用意な抜け出しを防止するために部品の紛失がない管継手を提供することができる。
【図面の簡単な説明】
【図１】この発明の管継手の実施形態１を説明するロック解除状態の斜視図。
【図２】図１の管継手の側面図。
【図３】図１の管継手のロック状態の斜視図。
【図４】図３の管継手の半断面図。
【図５】この発明の管継手の実施形態２を説明するロック解除状態の斜視図。
【図６】図５の管継手の側面図。
【図７】図５の管継手のロック状態の斜視図。
【図８】図７の管継手の半断面図。
【図９】従来の管継手を説明する半断面図。
【符号の説明】
１  配管
２  ロックリング
３  リリース
４  継手本体
６  凹部
７  凸部
【図１】
0004565776.tif 000002
【図２】
0004565776.tif 000003
【図３】
0004565776.tif 000004
【図４】
0004565776.tif 000005
【図５】
0004565776.tif 000006
【図６】
0004565776.tif 000007
【図７】
0004565776.tif 000008
【図８】
0004565776.tif 000009
【図９】
0004565776.tif 000010